(57)【特許請求の範囲】
【請求項１】
燃料タンク（８）内の燃料を内燃機関（４）に供給する燃料ポンプモジュール（１）であって、
前記燃料タンク内の燃料に含まれる異物を除去する第１サクションフィルタ（１３）と、
前記第１サクションフィルタを通過した燃料を前記内燃機関の燃焼室（６）に吐出する第１ポンプ（１０）と、
前記第１ポンプが吐出する燃料に含まれる異物を除去する第１フィルタ（３０）と、
前記第１フィルタと前記燃焼室との間に設けられ、前記第１フィルタを通過した燃料が流れる第１供給口（５１）と、
前記第１サクションフィルタとは別に前記燃料タンクの燃料に含まれる異物を除去する第２サクションフィルタ（２３）と、
前記第２サクションフィルタを通過した燃料を前記内燃機関の吸気系（５）に吐出する第２ポンプ（２０）と、
前記第２ポンプが吐出する燃料に含まれる異物を除去する第２フィルタ（４０）と、
前記第２フィルタと前記吸気系との間に設けられ、前記第２フィルタを通過した燃料が流れる第２供給口（６１）と、
前記第１ポンプまたは前記第２ポンプのいずれか一方を収容するポンプ収容部材（１１）と、
前記ポンプ収容部材とは別体に形成され、前記ポンプ収容部材を支持する支持部（２９）を有し、前記第１ポンプまたは前記第２ポンプのいずれか他方を収容するポンプ支持部材（２１）と、
前記ポンプ支持部材が前記第１ポンプを収容するとき前記第１サクションフィルタと前記第１ポンプとの間、または、前記ポンプ支持部材が前記第２ポンプを収容するとき前記第２サクションフィルタと前記第２ポンプとの間に前記ポンプ支持部材と係合するよう設けられ、前記ポンプ支持部材に対する前記第１ポンプまたは前記第２ポンプの中心軸方向への相対移動を規制する規制部材（７０）と、
弾性材料から形成され、前記ポンプ支持部材が前記第１ポンプを収容するとき前記ポンプ支持部材内の前記第１ポンプと前記規制部材との間にのみ、または、前記ポンプ支持部材が前記第２ポンプを収容するとき前記ポンプ支持部材内の前記第２ポンプと前記規制部材との間にのみ設けられ、前記規制部材に当接する弾性部材（７５）と、
前記燃料タンク内に設けられ、内部に前記ポンプ支持部材を収容可能に形成され、前記ポンプ支持部材を支持するサブタンク（７）と、
を備えることを特徴とする燃料ポンプモジュール。
【発明の詳細な説明】
【技術分野】
【０００１】
本発明は、燃料ポンプモジュールに関する。
【背景技術】
【０００２】
従来、エンジンの運転状態に合わせて吐出圧が異なる複数の燃料ポンプを使い分け、エンジンの高出力化や燃費の向上を達成する燃料ポンプモジュールが知られている。特許文献１には、メインポンプ、サブポンプ、メインポンプなどを収容する有底筒状のサブタンク、及び、サブタンクの開口を塞ぐよう設けられメインポンプなどを支持するカバー部材を備える燃料ポンプモジュールが記載されている。
【先行技術文献】
【特許文献】
【０００３】
【特許文献１】特開２００９−２２８６５３号公報
【発明の概要】
【発明が解決しようとする課題】
【０００４】
しかしながら、特許文献１に記載の燃料ポンプモジュールでは、二つのポンプが駆動するとき、二つのポンプを支持するカバー部材にポンプの振動が伝わる。当該振動がカバー部材及びサブタンクを介して燃料タンクに伝わると、発生する騒音が大きくなるおそれがある。
【０００５】
本発明の目的は、騒音を低減する燃料ポンプモジュールを提供することにある。
【課題を解決するための手段】
【０００６】
本発明は、燃料タンク内の燃料を内燃機関に供給する燃料ポンプモジュールであって、燃料タンク内の燃料に含まれる異物を除去する第１サクションフィルタと、第１サクションフィルタを通過した燃料を内燃機関の燃焼室に吐出する第１ポンプと、第１ポンプが吐出する燃料に含まれる異物を除去する第１フィルタと、第１フィルタと燃焼室との間に設けられ第１フィルタを通過した燃料が流れる第１供給口と、第１サクションフィルタとは別に燃料タンクの燃料に含まれる異物を除去する第２サクションフィルタと、第２サクションフィルタを通過した燃料を内燃機関の吸気系に吐出する第２ポンプと、第２ポンプが吐出する燃料に含まれる異物を除去する第２フィルタと、第２フィルタと吸気系との間に設けられ第２フィルタを通過した燃料が流れる第２供給口と、第１ポンプまたは第２ポンプのいずれか一方を収容するポンプ収容部材と、ポンプ収容部材とは別体に形成されポンプ収容部材を支持する支持部を有し第１ポンプまたは第２ポンプのいずれか他方を収容するポンプ支持部材と、ポンプ支持部材が第１ポンプを収容するとき第１サクションフィルタと第１ポンプとの間、または、ポンプ支持部材が第２ポンプを収容するとき第２サクションフィルタと第２ポンプとの間にポンプ支持部材と係合するよう設けられポンプ支持部材に対する第１ポンプまたは第２ポンプの中心軸方向への相対移動を規制する規制部材と、弾性材料から形成されポンプ支持部材が第１ポンプを収容するとき第１ポンプと規制部材との間にのみまたはポンプ支持部材が第２ポンプを収容するとき第２ポンプと規制部材との間にのみ設けられ規制部材に当接する弾性部材と、ポンプ収容部材とともにポンプ支持部材を内部に収容可能に設けられポンプ支持部材を支持するサブタンクと、を備えることを特徴とする。
【０００７】
本発明の燃料ポンプモジュールでは、二つのポンプ、二つのフィルタ、及び、二つの供給口を備えており、二つのポンプのいずれか他方を収容するポンプ支持部材は、二つの燃料ポンプのいずれか一方を収容するポンプ収容部材を支持する支持部を有している。ポンプ支持部材に収容されている二つの燃料ポンプのいずれか他方はポンプ支持部材と係合する規制部材によってポンプ支持部材に対するポンプの中心軸方向の移動が規制される。このとき、ポンプの駆動により発生する振動が規制部材やポンプ支持部材を介して燃料タンクに伝わる。本発明の燃料ポンプモジュールでは、ポンプ支持部材に収容されるポンプと規制部材との間にのみ弾性部材が設けられている。これにより、ポンプ支持部材に収容されているポンプが発生する振動が規制部材に伝わりにくくなり、規制部材を介してポンプ支持部材に伝わる振動が小さくなる。したがって、ポンプ支持部材から燃料タンクに伝わる振動が小さくなり、振動により発生する騒音を低減することができる。
【図面の簡単な説明】
【０００８】
【図１】本発明の一実施形態による燃料ポンプモジュールのシステムを表す模式図である。
【図２】本発明の一実施形態による燃料ポンプモジュールの第１モジュールの斜視図である。
【図３】本発明の一実施形態による燃料ポンプモジュールの第１モジュールの上面図である。
【図４】本発明の一実施形態による燃料ポンプモジュールの第１モジュールの断面図である。
【図５】図４のＶ―Ｖ線断面図である。
【図６】本発明の一実施形態による燃料ポンプモジュールの第２モジュールの斜視図である。
【図７】本発明の一実施形態による燃料ポンプモジュールの第２モジュールの上面図である。
【図８】本発明の一実施形態による燃料ポンプモジュールの第２モジュールの断面図である。
【発明を実施するための形態】
【０００９】
以下、本発明の実施形態を図面に基づき説明する。
【００１０】
（一実施形態）
本発明の一実施形態による燃料ポンプモジュール１のシステムを説明する模式図を図１に示す。燃料ポンプモジュール１は、プライマリタンク室２０１及びセカンダリタンク室３０１の二つの「燃料貯留室」を有する燃料タンク８に貯留されている燃料をエンジン４に供給する。燃料ポンプモジュール１では、エンジン４の運転状態に応じて、圧力が異なる燃料を、エンジン４が有する燃焼室６、または、エンジン４に接続する吸気系５のいずれかに供給する。燃料ポンプモジュール１は、図１に示すように、第１モジュール１０１、第２モジュール１０２、及び、第１モジュール１０１と第２モジュール１０２とを接続しプライマリタンク２とセカンダリタンク３との間を流れる燃料が行き来する移送管９１、９２などから構成されている。なお、図１中の白抜き矢印Ｆ１は、燃料の流れを示す。また、図１中の実線矢印Ｆ２は、気体の流れを示す。
【００１１】
第１モジュール１０１は、プライマリタンク２に設けられる。第１モジュール１０１は、プライマリタンク２内の燃料を加圧し、加圧した燃料をエンジン４に供給したり、セカンダリタンク３に移送したりする。第１モジュール１０１は、ダイレクトインジェクション用サクションフィルタ（以下、「ＤＩ用サクションフィルタ」という）１３、ダイレクトインジェクション用燃料ポンプ（以下、「ＤＩ用燃料ポンプ」という）１０、ポートインジェクション用サクションフィルタ（以下、「ＰＩ用サクションフィルタ」という）２３、ポートインジェクション用燃料ポンプ（以下、「ＰＩ用燃料ポンプ」という）２０、ダイレクトインジェクション用フィルタ（以下、「ＤＩ用フィルタ」という）３０、第１ジェットポンプ３５、第１フランジ５０、サブタンク７などから構成されている。ＤＩ用サクションフィルタ１３は、特許請求の範囲に記載の「第１サクションフィルタ」に相当する。ＤＩ用燃料ポンプ１０は、特許請求の範囲に記載の「第１ポンプ」に相当する。ＰＩ用サクションフィルタ２３は、特許請求の範囲に記載の「第２サクションフィルタ」に相当する。ＰＩ用燃料ポンプ２０は、特許請求の範囲に記載の「第２ポンプ」に相当する。ＤＩ用フィルタ３０は、特許請求の範囲に記載の「第１フィルタ」に相当する。
【００１２】
ＤＩ用サクションフィルタ１３は、袋状のエレメント１３１及び略筒状の接続部１３２などから構成される。ＤＩ用サクションフィルタ１３は、エレメント１３１内でサブタンク７内の燃料に含まれる異物を除去する。接続部１３２は、エレメント１３１とＤＩ用燃料ポンプ１０の吸入部１２との間に設けられ、吸入部１２と接続する。接続部１３２が形成する接続口１３３は、エレメント１３１内とＤＩ用燃料ポンプ１０の吸入部１２１が有する吸入口１２１とを連通する。
【００１３】
ＤＩ用燃料ポンプ１０は、プライマリタンク２に収容されているサブタンク７内に設けられる電動式のポンプである。ＤＩ用燃料ポンプ１０は、サブタンク７内の燃料を、例えば、５００ｋＰａまで加圧し、第１フランジ５０に設けられるダイレクトインジェクション用供給口（以下、「ＤＩ用供給口」という）５１に接続するダイレクトインジェクション用供給管（以下、「ＤＩ用供給管」という）１５を介してエンジン４の燃焼室６に直接燃料を供給する。一実施形態による燃料ポンプモジュール１では、ＤＩ用燃料ポンプ１０がエンジン４に供給する燃料の量は、ＰＩ用燃料ポンプ２０がエンジン４に供給する燃料の量より多くなるよう設定されている。ＤＩ用燃料ポンプ１０は、吸入部１２、ポンプ部１４、モータ部１６、および吐出部１８などから構成される。ＤＩ用供給口５１は、特許請求の範囲に記載の「第１供給口」に相当する。
【００１４】
吸入部１２は、ＤＩ用燃料ポンプ１０のＤＩ用サクションフィルタ１３側に設けられ、ＤＩ用燃料ポンプ１０のポンプ部１４に接続している。吸入部１２は、吸入口１２１を有する。吸入口１２１は、ＤＩ用サクションフィルタ１３内とポンプ部１４内とを連通する。吸入口１２１は、ＤＩ用燃料ポンプ１０の中心軸上とは異なる位置に設けられ、ＤＩ用サクションフィルタ１３を経由するサブタンク７内の燃料をポンプ部１４に送る。
【００１５】
ポンプ部１４は、図示しないインペラ、インペラを回転可能に収容するポンプ室を形成するポンプケーシング１４１などから構成される。ポンプ室は、吸入部１２の吸入口１２１と吐出部１８の吐出口１８１とを連通している。ポンプケーシング１４１のサクションフィルタ１３側には、ポンプ部１４で蒸気となった燃料をサブタンク７内に排出する蒸気排出口１４２（図５参照）が形成されている。
【００１６】
モータ部１６は、いずれも図示しないステータ、ロータ、シャフトなどから構成されるブラシレスモータである。円筒状のステータに巻回される図示しない巻線にワイヤハーネス１６１（図２参照）及び通電端子１６２を介して電力が供給されると、ステータの径内方向に設けられるロータがシャフトとともに回転する。シャフトの回転トルクは、ポンプ部１４のインペラに伝達される。これにより、ポンプ部１４のインペラが回転し、ポンプ室の燃料が加圧され、吐出部１８に送られる。
【００１７】
吐出部１８は、ポンプ部１４およびモータ部１６に対して吸入部１２とは反対側に設けられる。吐出部１８は、ポンプ部１４内と「ポンプ収容部材」としてのポンプケース１１内とを連通する吐出口１８１を有する。ポンプ部１４により加圧された燃料は、吐出口１８１を介してポンプケース１１内に形成されている燃料通路１１１に送られる。
【００１８】
ポンプケース１１は、樹脂から形成される有底筒状の部材である。ポンプケース１１は、底部１１２、側部１１３、接続部１１９などから構成される。ポンプケース１１の内部にはＤＩ用燃料ポンプ１０及びＤＩ用フィルタ３０が収容されている。
【００１９】
底部１１２は、樹脂から略円板状に形成されている。底部１１２には、ＤＩ用燃料ポンプ１０の中心軸に対して略平行に貫通孔１１６が形成されている。貫通孔１１６は、モータ部１６の通電端子１６２と電気的に接続するコネクタが挿入される。
【００２０】
側部１１３は、底部１１２の貫通孔１１６に連通する開口１１７及びＤＩ用サクションフィルタ１３側に形成される開口１１５を有する有底筒状空間と、当該有底筒状空間の径外方向に形成される円環状空間とを有する。有底筒状空間には、ＤＩ用燃料ポンプ１０が位置する。ＤＩ用燃料ポンプ１０は、開口１１５を介して当該有底筒状空間に収容される。また、開口１１７は、通電端子１６２と電気的に接続するコネクタが挿入される。側部１１３の吐出口１８１に対応する位置には、吐出口１８１と燃料通路１１１とを連通する接続室１１４が形成されている。吐出口１８１から吐出される燃料は、接続室１１４を流れ燃料通路１１１に送られる。
側部１１３が有する円環状空間には、略筒状に形成されているＤＩ用フィルタ３０が収容される。ＤＩ用フィルタ３０は、例えば、カーボンを含まない導電性樹脂から形成され、吐出口１８１から吐出される燃料に含まれる異物を除去する。ＤＩ用フィルタ３０を通過した燃料は、ポンプケース１１の径方向外側に設けられている接続部１１９に送られる。
接続部１１９は、側部１１３の径方向外側に設けられており、調圧弁１５３が収容されている。接続部１１９に送られる燃料は、調圧弁１５３により所望の圧力に調整される。圧力が調整された燃料は、供給管１８２（図１参照）及び第１フランジ５０に設けられるＤＩ用供給口５１を介してプライマリタンク２の外部に送られる。
【００２１】
ＰＩ用サクションフィルタ２３は、袋状のエレメント２３１および略筒状の接続部２３２などから構成される。ＰＩ用サクションフィルタ２３は、エレメント２３１内でサブタンク７内の燃料に含まれる異物を除去する。接続部２３２は、エレメント２３１とＰＩ用燃料ポンプ２０の吸入部２２との間に設けられ、吸入部２２と接続する。接続部２３２が形成する接続口２３３は、エレメント２３内とＰＩ用燃料ポンプ２０の吸入部２２が有する吸入口２２１とを連通する。
【００２２】
ＰＩ用燃料ポンプ２０は、ＤＩ用燃料ポンプ１０と同様にプライマリタンク２のサブタンク７内に設けられる電動式のポンプである。ＰＩ用燃料ポンプ２０は、サブタンク７内の燃料を、例えば、３５０から５００ｋＰａまでの任意の圧力に加圧し、第１フランジ５０に設けられる移送口５２に接続する移送管９１を介してセカンダリタンク３に送ると同時に後述する第１ジェットポンプ３５に加圧した燃料を供給する。ＰＩ用燃料ポンプ２０は、吸入部２２、ポンプ部２４、モータ部２６、および吐出部２８などから構成される。
【００２３】
吸入部２２は、ＰＩ用燃料ポンプ２０のＰＩ用サクションフィルタ２３側に設けられ、ＰＩ用燃料ポンプ２０のポンプ部２４に接続している。吸入部２２は、吸入口２２１を有する。吸入口２２１は、ＰＩ用サクションフィルタ２３内とポンプ部２４内とを連通する。吸入口２２１は、ＰＩ用燃料ポンプ２０の中心軸上とは異なる位置に設けられ、ＰＩ用サクションフィルタ２３を経由するサブタンク７内の燃料をポンプ部２４に送る。
【００２４】
ポンプ部２４は、図示しないインペラ、インペラを回転可能に収容するポンプ室を形成するポンプケーシング２４１などから構成される。ポンプ室は、吸入部２２の吸入口２２１と吐出部２８の吐出口２８１とを連通している。
【００２５】
モータ部２６は、いずれも図示しないステータ、ロータ、シャフトなどから構成されるブラシレスモータである。円筒状のステータに巻回される図示しない巻線にワイヤハーネス２６１（図２参照）及び通電端子２６２を介して電力が供給されると、ステータの径内方向に設けられるロータがシャフトとともに回転する。シャフトの回転トルクは、ポンプ部２４のインペラに伝達される。これにより、ポンプ部２４のインペラが回転し、ポンプ室の燃料が加圧され、吐出部２８に送られる。
【００２６】
吐出部２８は、ポンプ部２４およびモータ部２６に対して吸入部２２とは反対側に設けられる。吐出部２８は、ポンプ部２４内とポンプケース２１内とを連通する吐出口２８１を有する。吐出部２８は、ポンプケース２１が形成する接続部２１２に接続している。ポンプ部２４により加圧された燃料は、吐出口２８１を通って接続部２１２に送られる。
【００２７】
ポンプケース２１は、樹脂から形成される略筒状部材である。ポンプケース２１は、筒部２１１、接続部２１２、支持部２９などから構成されている。ポンプケース２１は、特許請求の範囲に記載の「ポンプ支持部材」に相当する。
【００２８】
筒部２１１は、有底筒状に形成されている。筒部２１１のＰＩ用サクションフィルタ２３側には開口２１３が形成されている。ＰＩ用燃料ポンプ２０は開口２１３を介して筒部２１１の内部に挿入される。また、筒部２１１のＰＩ用サクションフィルタ２３とは反対側の接続部２１２とは異なる位置に貫通孔２１６が形成されている。貫通孔２１６は、モータ部２６の通電端子２６２と電気的に接続するコネクタが挿入される。
【００２９】
接続部２１２は、筒部２１１のＰＩ用サクションフィルタ２３とは反対側に設けられる。接続部２１２は、２つの方向に分岐する流路を有する。当該分岐する流路の一方の流路２１４は、オリフィス４９１を有する供給管３５１（図１、２参照）を介して第１ジェットポンプ３５内に連通している。また、当該分岐する流路の他方の流路２１５は、燃料の流れ方向を一方向のみに規制する逆止弁４９が収容されている。他方の流路２１５を流れる燃料は、移送管４９２（図１、２参照）、及び第１フランジ５０の移送口５２を介してプライマリタンク２の外部に送られる。
【００３０】
支持部２９は、筒部２１１の外壁から延びるよう形成されている。支持部２９は、図３に示すように、ＰＩ用燃料ポンプ２０の中心軸に対して垂直な方向の断面形状が略Ｃ字状になるよう形成されている。支持部２９が形成する挿入孔２９２にポンプケース１１が挿通されることにより、支持部２９はポンプケース１１を支持する。
【００３１】
支持部２９の径方向外側には、ステー２９１が３つ径外方向に延びるよう形成されている。また、筒部２１１の支持部２９と接続する側とは反対側にはステー２１７が形成されている。ステー２１７、２９１は、図３に示すように、サブタンク７と接続している。これにより、ポンプケース２１に収容されるＰＩ用燃料ポンプ２０、及び、支持部２９に支持されるＤＩ用燃料ポンプ１０及びＤＩ用フィルタ３０などは、サブタンク７に対する相対位置が固定される。
【００３２】
ブラケット７０は、図４に示すように、ＰＩ用燃料ポンプ２０とＰＩ用サクションフィルタ２３との間に設けられる樹脂製部材である。「規制部材」としてのブラケット７０は、ベース部７１及び縁部７２などから構成されている。ブラケット７０は、ポンプケース２１に対するＰＩ用燃料ポンプ２０の中心軸方向の移動を規制する。
ベース部７１は、ＰＩ用燃料ポンプ２０の中心軸に対して略垂直に形成されている略平板状の部位である。ベース部７１は、中心角が１８０°より大きい扇状に形成されている。
縁部７２は、ベース部７１の径方向外側の縁からＰＩ用サクションフィルタ２３とは反対側の方向に延びるよう形成されている。一実施形態による燃料ポンプモジュール１では、縁部７２は、３個形成されている。縁部７２の内壁７２１は、ポンプケース２１の筒部２１１の外壁２１９と当接可能なよう形成されている。
【００３３】
弾性部材７５は、弾性材料から形成され、ブラケット７０とＰＩ用燃料ポンプ２０との間に設けられる。具体的には、弾性部材７５は、ブラケット７０のベース部７１とＰＩ用サクションフィルタ２３の接続部２３２に設けられているガイド部２３４とに当接するよう設けられている。ガイド部２３４は、ＰＩ用燃料ポンプ２０の吸入部２２に当接し、吸入部２２からＰＩ用サクションフィルタ２３側に突出するよう形成されている突部２２２をガイドする、ガイド部２３４は、ブラケット７０を介してポンプケース２１に対するＰＩ用燃料ポンプ２０の径方向の移動を規制する。
【００３４】
弾性部材７５は、図５に示すように、略Ｃ字状に形成されている。弾性部材７５の中心に形成されている開口７５１には、突部２２２が位置する。開口７５１と連通する切り欠き７５２には、吸入口２２１を形成する吸入部２２が位置する。これにより、ＰＩ用燃料ポンプ２０がポンプケース２１の中心軸を略中心としてポンプケース２１に対して相対回転するとき、ＰＩ用燃料ポンプ２０が弾性部材７５に当接するため当該相対回転の角度が一定角度の範囲内となる。
【００３５】
第１ジェットポンプ３５は、図２に示すように、サブタンク７の径方向外側であって第１フランジ５０と反対側に設けられる。第１ジェットポンプ３５は、ＰＩ用燃料タンク２０が吐出する燃料の圧力を利用して、プライマリタンク室２０１の燃料をサブタンク７内に導入する。
【００３６】
センダゲージ３８は、図２、３に示すように、サブタンク７の径方向外側に設けられる。センダゲージ３８は、アーム３８２を介してフロート３８１と接続している。液面高さの変化に応じてフロート３８１が動くとアーム３８２が回動し、センダゲージ３８によりアーム３８１の回動量を検出することで液面高さが検出される。センダゲージ３８は、ワイヤハーネス３８３及び第１フランジ５０を介して外部に設置された図示しない電子制御装置（以下、「ＥＣＵ」という）に液面検出信号を出力する。
【００３７】
第１フランジ５０は、円板状に形成され、プライマリタンク２の「一の開口」としての開口２００を塞ぐよう設けられる（図１参照）。第１フランジ５０は、ＤＩ用供給口５１、移送口５２の他に、セカンダリタンク３からサブタンク７に向かって流れる燃料が通過する移送口５３、及び、後述するポートインジェクション用供給管（以下、「ＰＩ用供給管」という）２５に設けられる調圧弁２５３がサブタンク７に還流する燃料が通過する還流口５４が設けられている。また、第１フランジ５０には、ワイヤハーネス１６１、２６１と電気的に接続しＤＩ用燃料ポンプ１０及びＰＩ用燃料ポンプ２０に電力を供給する外部コネクタ５５１、及び、ワイヤハーネス３８３を介してセンダゲージ３８が検出する液面を表す信号を外部に出力する外部コネクタ５５２が設けられている。
【００３８】
サブタンク７は、有底筒状の樹脂から形成されている。サブタンク７は、上述したようにＤＩ用燃料ポンプ１０、ＰＩ用燃料ポンプ２０などを収容しつつ、サブタンク７の径方向外側に第１ジェットポンプ３５、センダゲージ３８が設けられる。
【００３９】
第１フランジ５０とサブタンク７とは、図２に示すように、２本のシャフト１７により相対位置を変更可能なよう接続されている。シャフト１７の径外方向には第１フランジ５０とサブタンク７とを離間する方向に付勢するスプリング１７１が設けられている。これにより、サブタンク７は、プライマリタンク２の底面に押し付けられるよう設けられる。
【００４０】
第２モジュール１０２は、セカンダリタンク３に設けられる。第２モジュール１０２は、プライマリタンク２から送られる燃料の異物を除去しエンジン４に供給したり、プライマリタンク２から送られる燃料の圧力を利用してセカンダリタンク３内の燃料をプライマリタンク２に移送したりする。第２モジュール１０２は、ポートインジェクション用フィルタ（以下、「ＰＩ用フィルタ」という）４０、フィルタケース４１、残圧保持弁４７、第２ジェットポンプ４５、第２フランジ６０などを備える。ＰＩ用フィルタ４０は、特許請求の範囲に記載の「第２フィルタ」に相当する。
【００４１】
ＰＩ用フィルタ４０は、略円筒状に形成され、ＤＩ用燃料ポンプ１０のポンプケース１１と同一形状のフィルタケース４１に形成されている円環状空間に収容されている。ＰＩ用フィルタ４０は、例えば、カーボンを含まない導電性樹脂から形成されている。ＰＩ用フィルタ４０は、プライマリタンク２から送られる燃料の異物を除去する。
【００４２】
フィルタケース４１は、略円環状の内側ブラケット４２を介して外側ブラケット４３に支持されている。フィルタケース４１の略中央の円柱状空間には、図８に示すように、グランドに接地するアースブラケット４４が収容されている。
【００４３】
フィルタケース４１には、第２フランジ６０に設けられる移送口６２を介してプライマリタンク２から送られる燃料をフィルタケース４１内に導く移送管４１２及び移送口４１３が設けられている。移送口４１３を通ってフィルタケース４１内に導入される燃料は、フィルタケース４１内の燃料通路４１４及びＰＩ用フィルタ４０を通過する。ＰＩ用フィルタ４０を通過した燃料は、供給管２８２及び第２フランジ６０に設けられるポートインジェクション用供給口６１（以下、「ＰＩ用供給口」という）、ＰＩ用供給口６１に接続するＰＩ用供給管２５を介してエンジン４の吸気系５に供給される。また、ＰＩ用フィルタ４０を通過する燃料の一部は、フィルタケース４１の径方向外側に収容されている残圧保持弁４７に導入される。ＰＩ用供給口６１は、特許請求の範囲に記載の「第２供給口」に相当する。
【００４４】
残圧保持弁４７は、図８に示すように、フィルタケース４１の径方向外側に設けられている接続部４１１内に収容されている。残圧保持弁４７は、上流側のＰＩ用フィルタ４０内の圧力を一定程度、例えば、３２０ｋＰａ程度に保持し、ＰＩ用フィルタ４０内の燃料が気体となることを防止する。残圧保持弁４７を通る燃料は供給管４５１を通って第２ジェットポンプ４５に送られる。
【００４５】
第２ジェットポンプ４５は、外側ブランケット４３の第２フランジ６０側とは反対側に設けられるサブタンク４５２に収容されている。第２ジェットポンプ４５は、いわゆる、押し込み式のジェットポンプであり、残圧保持弁４７から送られる燃料の圧力を利用してセカンダリタンク３の燃料を吸引する。第２ジェットポンプ４５が吸引する燃料は、移送管４５３及び第２フランジ６０に設けられる移送口６３を介してセカンダリタンク３の外部に送られる。
【００４６】
センダゲージ４８は、図６に示すように、フィルタケース４１の径方向外側に設けられる。センダゲージ４８は、アーム４８２を介してフロート４８１と接続している。液面高さの変化に応じてフロート４８１が動くとアーム４８２が回動し、センダゲージ４８によりアーム４８２の回動量を検出することで液面高さが検出される。センダゲージ４８は、第２フランジ６０を介して外部に設置されたＥＣＵに液面検出信号を出力する。
【００４７】
第２フランジ６０は、円板状に形成され、セカンダリタンク３の「他の開口」としての開口３００を塞ぐよう設けられる。第２フランジ６０には、ＰＩ用供給口６１、移送口６２、６３が設けられている。また、第２フランジ６０には、ワイヤハーネス４８３を介してセンダゲージ４８が検出する液面を表す信号を外部に出力する外部コネクタ６５１が設けられている。
【００４８】
燃料ポンプモジュール１では、第１フランジ５０の移送口５２と第２フランジ６０の移送口６２とは、プライマリタンク２からセカンダリタンク３に向かう燃料が流れる移送管９１によって接続されている。また、第１フランジ５０の移送口５３と第２フランジ６０の移送口６３とは、セカンダリタンク３からプライマリタンク２に向かう燃料が流れる移送管９２によって接続されている。これにより、二つの燃料ポンプが備えられているプライマリタンク２にセカンダリタンク３の燃料が移送され、プライマリタンク２及びセカンダリタンク３の燃料が確実にエンジン４に供給される。
【００４９】
第２フランジ６０とフィルタケース４１とは、図６に示すように、２本のシャフト２７により接続されている。シャフト２７の径外方向には第２フランジ６０とフィルタケース４１とを離間する方向に付勢するスプリング２７１が設けられている。これにより、第２フランジ６０に対してフィルタケース４１は、セカンダリタンク３の底面に押し付けられるよう設けられる。
【００５０】
次に、燃料ポンプモジュール１の作動について説明する。
【００５１】
外部から外部コネクタ５５１を介してＤＩ用燃料ポンプ１０及びＰＩ用燃料ポンプ２０に電力が供給されると、ＤＩ用燃料ポンプ１０及びＰＩ用燃料ポンプ２０が駆動し、ＤＩ用サクションフィルタ１３、２３を介してサブタンク７内の燃料を吸引し、加圧する。
【００５２】
ＤＩ用燃料ポンプ１０では、ポンプ部１４が吐出する燃料は、ポンプケース１１内に収容されているＤＩ用フィルタ３０により異物が除去される。ＤＩ用フィルタ３０により異物が除去された燃料は、調圧弁１５３により適切な圧力に調整された後、供給管１８２、第１フランジ５０のＤＩ用供給口５１、ＤＩ用供給管１５を通ってエンジン４の燃焼室６に直接供給される。
【００５３】
一方、ＰＩ用燃料ポンプ２０では、ポンプ部２４が吐出する燃料は、一部が逆止弁４９を通った後、移送管４９２、第１フランジ５０の移送口５２、移送管９１、第２フランジ６０の移送口６２、移送管４１２を通ってセカンダリタンク３内に移送される。また、ポンプ部２４が吐出する燃料の一部は、供給管３５１を通って第１ジェットポンプ３５に供給される。第１ジェットポンプ３５では、供給される燃料の圧力を利用してプライマリタンク２内の燃料をサブタンク７内に導入する。
【００５４】
移送管９１を通ってプライマリタンク２からセカンダリタンク３に移送される加圧された燃料は、ＰＩ用フィルタ４０により異物が除去される。ＰＩ用フィルタ４０を通った燃料は、一部が供給管２８２、第２フランジ６０のＰＩ用供給口６１、ＰＩ用供給管２５を通ってエンジン４の吸気系５に供給される。このとき、ＰＩ用供給管２５を通る燃料は、例えば、吸気系５と連通している通気管２５５を介して導入される吸気の圧力の大きさに応じて調圧弁２５３によって圧力が調整される。圧力の調整によって吸気系５に供給されなくなった燃料は、リターン管２５４及び第１フランジ５０の還流口５４を介してプライマリタンク２内に戻される。
また、ＰＩ用フィルタ４０を通った燃料の一部は、残圧保持弁４７及び供給管４５１を通って第２ジェットポンプ４５に供給される。第２ジェットポンプ４５は、供給された燃料の圧力を利用してセカンダリタンク３内の燃料を移送管４５３、第２フランジ６０の移送口６３、移送管９２、第１フランジ５０の移送口５３を介してサブタンク７内に送る。これにより、セカンダリタンク室３０１の燃料は、プライマリタンク２内のＤＩ用燃料ポンプ１０及びＰＩ用燃料ポンプ２０により加圧され、エンジン４に供給される。
【００５５】
一実施形態による燃料ポンプモジュール１では、ＤＩ用燃料ポンプ１０は、ポンプケース２１に支持されるポンプケース１１に収容されている。これにより、ＤＩ用燃料ポンプ１０の駆動によって発生する振動は、ポンプケース１１及びポンプケース２１を介してサブタンク７や燃料タンク８に伝わる。一方、ＰＩ用燃料ポンプ２０は、サブタンク７に直接支持されているポンプケース２１に収容されている。これにより、ＰＩ用燃料ポンプ２０の駆動によって発生する振動は、ポンプケース２１を介してサブタンク７や燃料タンク８に伝わる。このため、ＰＩ用燃料ポンプ２０の振動は、サブタンク７に比較的伝わりやすい。そこで、燃料ポンプモジュール１では、ポンプケース２１に係合するブラケット７０とＰＩ用燃料ポンプ２０との間にブラケット７０に当接する弾性部材７５を設け、ＰＩ用燃料ポンプ２０の駆動によって発生する振動をポンプケース２１に伝わりにくくする。これにより、サブタンク７や燃料タンク８に伝わる振動を小さくし、燃料タンク８の振動により発生する騒音を低減することができる。
【００５６】
（他の実施形態）
（ア）上述の実施形態では、燃料タンクは、移送管を介してプライマリタンクとセカンダリタンクとが連通する分割型の燃料タンクであるとした。しかしながら、燃料タンクの構成はこれに限定されない。例えば、鞍型の燃料タンクであって、燃料が貯留される「燃料貯留室」の底面が２つに分割されているような燃料タンクであってもよい。また、燃料貯留室の数は２つに限定されない。１つであってもよいし、２つ以上の複数であってもよい。燃料貯留室が一つである場合、二つの燃料ポンプ及び二つのフィルタは、一つのサブタンク内に収容されてもよい。
【００５７】
（イ）上述の実施形態では、燃焼室に燃料を供給するＤＩ用燃料ポンプ及びＤＩ用フィルタが収容されるポンプケースをＰＩ用燃料ポンプが収容されるポンプケースの支持部が支持するとした。しかしながら、支持するポンプケースと支持されるポンプケースとの関係はこれに限定されない。ＤＩ用燃料ポンプまたはＰＩ用燃料ポンプのいずれか一方が収容されるポンプケースがＤＩ用燃料ポンプまたはＰＩ用燃料ポンプのいずれか他方が収容されるポンプケースを支持してもよい。
【００５８】
（ウ）上述の実施形態では、ＰＩ用燃料ポンプが収容されるポンプケースの支持部はサブタンクと接続するステーが設けられるとした。しかしながら、ステーとは別の部材によってサブタンクと接続してもよい。
【００５９】
以上、本発明はこのような実施形態に限定されるものではなく、その要旨を逸脱しない範囲で種々の形態で実施可能である。
【符号の説明】
【００６０】
１            ・・・燃料ポンプモジュール、
４            ・・・エンジン（内燃機関）、
５            ・・・吸気系、
６            ・・・燃焼室、
８            ・・・燃料タンク、
１０          ・・・ダイレクトインジェクション用燃料ポンプ（第１ポンプ）、
１３          ・・・ダイレクトインジェクション用サクションフィルタ（第１サクションフィルタ）、
２０          ・・・ポートインジェクション用燃料ポンプ（第２ポンプ）、
２１          ・・・ポンプケース（ポンプ支持部材）、
２３          ・・・ポートインジェクション用サクションフィルタ（第２サクションフィルタ）、
２９          ・・・支持部、
７０          ・・・ブラケット（規制部材）、
７５          ・・・弾性部材。
【図１】
0005880978.tif 000002
【図２】
0005880978.tif 000003
【図３】
0005880978.tif 000004
【図４】
0005880978.tif 000005
【図５】
0005880978.tif 000006
【図６】
0005880978.tif 000007
【図７】
0005880978.tif 000008
【図８】
0005880978.tif 000009